(57)【要約】【課題】筐体内部に放射線固体検出器や読取光光源等を収容した放射線検出用カセッテにおいて、放射線固体検出器に接続されたフレキシブル基板の振動対策を可能にするとともに、読取光の光学精度をも確保する。【解決手段】筐体２０内部に放射線固体検出器３０や線状光源３１を収容した放射線検出用カセッテ２において、放射線固体検出器３０を保持する基台２５の構造を、環状部を有し、環状部の上面において放射線固体検出器３０を保持し、環状部の内側に線状光源３１を収容し、環状部の外側面において放射線固体検出器３０に接続されたフレキシブル基板５０を保持する構造とし、光源駆動手段を基台２５に固着保持させる。【選択図】図４
2007155433.tif 000002
【特許請求の範囲】
【請求項１】
画像情報を担持する放射線の照射を受けて前記画像情報を記録し、読取光で走査されることにより記録した前記画像情報を表す画像信号を出力する放射線固体検出器と、
該放射線固体検出器に読取光を照射する読取光光源と、
前記放射線固体検出器から出力された画像信号の処理を行う信号処理基板と、
前記放射線固体検出器と前記信号処理基板とを接続するフレキシブル基板と、
環状部を有し、該環状部の上面において前記放射線固体検出器を保持し、前記環状部の内側に前記読取光光源を収容し、前記環状部の外側面において前記フレキシブル基板を保持する基台と、
該基台に保持され、前記読取光光源を走査移動させる駆動手段とを、筐体内に収容してなることを特徴とする放射線検出用カセッテ。
【請求項２】
前記基台および／または前記基台に保持された部材が、導熱性部材により前記筐体内と接続されていることを特徴とする請求項１記載の放射線検出用カセッテ。
【請求項３】
前記基台が、防振部材を介して前記筐体内に固定されていることを特徴とする請求項１または２記載の放射線検出用カセッテ。
【発明の詳細な説明】
【技術分野】
【０００１】
本発明は、筐体内部に放射線固体検出器や読取光光源等を収容した放射線検出用カセッテにおいて、特にその振動対策に関するものである。
【背景技術】
【０００２】
今日、医療診断等を目的とする放射線撮影において、被写体を透過した放射線を検出して被写体に関する放射線画像を表す画像信号を出力する放射線固体検出器が各種提案、実用化されている。本出願人は、読出しの高速応答性と効率的な信号電荷の取り出しの両立を図ることができる光読出方式の放射線固体検出器として、特許文献１、特許文献２等において、記録用の放射線あるいは該放射線の励起により発せられる光（以下記録光という）に対して透過性を有する第１導電層、記録光を受けることにより導電性を呈する記録用光導電層、第１導電層に帯電される電荷と同極性の電荷に対しては略絶縁体として作用し、かつ、該同極性の電荷と逆極性の電荷に対しては略導電体として作用する電荷輸送層、読取光の照射を受けることにより導電性を呈する読取用光導電層、読取光に対して透過性を有する第２導電層を、この順に積層して成り、記録用光導電層と電荷輸送層との界面に形成される蓄電部に、画像情報を担持する潜像電荷（静電潜像）を蓄積する放射線固体検出器を提案している。
【０００３】
また、上記のような放射線固体検出器や、放射線固体検出器に読取光を走査露光させるための線状光源（読取光光源）や、放射線固体検出器から出力された画像信号の処理を行う信号処理基板等を筐体に収容した放射線検出用カセッテも各種提案、実用化されている（特許文献３等）。このような放射線検出用カセッテは比較的薄型で且つ搬送可能なサイズのものであるため、例えば、身動きがとれない患者等に対して、患者をベッドに寝かせたまま撮影したい部位の下に放射線検出用カセッテを置き、放射線検出用カセッテと患者を挟んで対向する位置に放射線画像情報記録装置が備える放射線源を移動させて撮影を行う等、非常に自由度の高い撮影を行うことができる。
【特許文献１】特開２０００−１０５２９７号公報
【特許文献２】特開２０００−２８４０５６号公報
【特許文献３】特開平０７−１４０２５５号公報
【発明の開示】
【発明が解決しようとする課題】
【０００４】
ところで、上記のような放射線検出用カセッテにおいては、通常放射線固体検出器は板状の基台により保持され、この基台の裏側に配される信号処理基板と放射線固体検出器とはＴＣＰ（Tape Carrier Package）等のフレキシブル基板により接続されている。
【０００５】
このフレキシブル基板は振動に対して敏感で、フレキシブル基板に振動が伝わるとノイズの発生の原因となってしまうが、従来の構造ではフレキシブル基板を基台で直接保持することは困難であり、フレキシブル基板の振動については有効な対策は取られていなかった。
【０００６】
また、放射線固体検出器を保持する基台自体も外部からの振動の影響を受けないことが好ましいため、基台を軟性の防振部材を介して筐体に固定することが考えられるが、この場合には放射線固体検出器と線状光源との相対位置関係が僅かながらも変動してしまう虞があり、読取光の光学精度を確保するのが困難になるという問題がある。
【０００７】
本発明は上記問題に鑑みてなされたものであり、筐体内部に放射線固体検出器や読取光光源等を収容した放射線検出用カセッテにおいて、放射線固体検出器に接続されたフレキシブル基板の振動対策を可能にするとともに、読取光の光学精度をも確保した放射線検出用カセッテを提供することを目的とするものである。
【課題を解決するための手段】
【０００８】
本発明による放射線検出用カセッテは、画像情報を担持する放射線の照射を受けて画像情報を記録し、読取光で走査されることにより記録した画像情報を表す画像信号を出力する放射線固体検出器と、放射線固体検出器に読取光を照射する読取光光源と、放射線固体検出器から出力された画像信号の処理を行う信号処理基板と、放射線固体検出器と信号処理基板とを接続するフレキシブル基板と、環状部を有し、環状部の上面において放射線固体検出器を保持し、環状部の内側に読取光光源を収容し、環状部の外側面においてフレキシブル基板を保持する基台と、基台に保持され、読取光光源を走査移動させる駆動手段とを、筐体内に収容してなることを特徴とするものである。
【０００９】
上記において「放射線固体検出器」とは、被写体の画像情報を担持する放射線を検出して被写体に関する放射線画像を表す画像信号を出力する検出器であって、入射した放射線を直接または一旦光に変換した後に電荷に変換し、この電荷を一旦蓄電部に蓄積し、その後、この電荷を外部に出力させることにより、被写体に関する放射線画像を表す画像信号を得ることができるものである。
【００１０】
また、「駆動手段」は、読取光により放射線固体検出器の全面が走査されるように読取光光源を走査移動させるものであり、例えば、読取光光源を点状光源とした場合には、この点状光源を主走査方向および副走査方向の２次元状に走査移動させるものであり、読取光光源を線状光源とした場合には、この線状光源を副走査方向に１次元状に走査移動させるものである。
【００１１】
本発明による放射線検出用カセッテにおいて、基台および／または基台に保持された部材は、導熱性部材により筐体内と接続されていることが好ましい。
【００１２】
また、基台は、防振部材を介して筐体内に固定されていることが好ましい。
【発明の効果】
【００１３】
本発明による放射線検出用カセッテは、筐体内部に放射線固体検出器や読取光光源等を収容した放射線検出用カセッテにおいて、放射線固体検出器を保持する基台の構造を、環状部を有し、環状部の上面において放射線固体検出器を保持し、環状部の内側に読取光光源を収容し、環状部の外側面において放射線固体検出器に接続されたフレキシブル基板を保持するものとし、この基台に駆動手段を保持させるようにしたので、フレキシブル基板の振動対策を可能にするとともに、読取光の光学精度をも確保することができる。
【発明を実施するための最良の形態】
【００１４】
以下、図面を参照して本発明の一実施の形態による放射線検出用カセッテについて説明する。図１に、この放射線検出用カセッテを利用した乳房用Ｘ線撮影装置の概略構成図を示す。
【００１５】
本乳房用Ｘ線撮影装置は、図１に示すように、撮影装置本体１と撮影装置本体１に装填される放射線検出用カセッテ２とを備えている。
【００１６】
撮影装置本体１は、撮影台１０、撮影台１０に設置されたアーム部１２およびアーム部１２に設置されたカセッテ装填部１４を備えている。
【００１７】
アーム部１２は、撮影台１０との接合部分１４ａを軸として矢印Ａ方向に回転するものである。そして、アーム部１２は自ら回転するとともに、カセッテ装填部１４をも矢印Ａ方向に回転させるものである。また、アーム部１２の一部である放射線射出部１２ａには放射線源が内蔵されている。放射線射出部１２ａから射出された放射線はカセッテ装填部１４に照射され、カセッテ装填部１４に装填されたカセッテ２内の放射線固体検出器３０に照射される。なお、本乳房用Ｘ線撮影装置によるＸ線撮影は、被写体がアーム部１２の放射線射出部１２ａとカセッテ装填部１４との間に位置した状態で行われる。そして、Ｘ線撮影の撮影目的に応じてアーム部１２が回転し、様々な角度にアーム部１２が傾いた状態でＸ線撮影が行われるものである。
【００１８】
図２に上記撮影装置本体１のカセッテ装填部１４に装填されるカセッテ２の概略構成図、図３に図２に示す概略構成図において放射線固体検出器３０を非表示にした図、図４に図２中のＩＶ−ＩＶ線断面図、図５に放射線固体検出器３０の概略構成図を示す。
【００１９】
カセッテ２は、直方体の筐体２０内に、放射線固体検出器３０、この放射線固体検出器３０を保持する基台２５、ライン状の読取光を放射線固体検出器３０に向かって射出する線状光源３１、線状光源３１を直動移動させる光源駆動手段、放射線固体検出器３０から出力された画像信号を検出するチャージアンプＩＣ５１を実装したフレキシブル基板５０、放射線固体検出器３０から出力された画像信号の処理を行う信号処理基板５２、および信号処理基板５２とフレキシブル基板５３を介して接続され、信号処理基板５２から受信した画像信号を外部機器へ送信するための画像転送基板５４等を収容してなるものである。
【００２０】
筐体２０は、主として光を遮断するアルミやマグネシウム等の材料から構成されているが、放射線入射部にはカーボン板２１が配置されており、放射線固体検出器３０への放射線の入射を妨げないように構成されている。
【００２１】
放射線固体検出器３０は、図５に示すように、放射線画像を担持した放射線Ｌ１を透過する第１の電極層３３、第１の電極層３３を透過した放射線Ｌ１の照射を受けることにより電荷を発生する記録用光導電層３４、記録用光導電層３４において発生した電荷に対しては絶縁体として作用し、且つその電荷と逆極性の輸送電荷に対しては導電体として作用する電荷輸送層３５、読取光Ｌ２の照射を受けることにより電荷を発生する読取用光導電層３６、および読取光Ｌ２を透過する線状に延びる線状電極３７ａが平行に配列された第２の電極層３７をこの順に積層してなるものである。第２の電極層３７の各線状電極３７ａは、フレキシブル基板５０と接続されている。
【００２２】
上記放射線固体検出器３０においては、第１の電極層３３側から放射線Ｌ１が照射され、照射された放射線Ｌ１の線量に応じた量の潜像電荷が記録用光導電層３４と電荷輸送層３５との界面に形成される蓄電部３８に蓄積されることより、放射線画像が記録される。そして、第２の電極層３７側から照射された読取光Ｌ２が線状電極３７ａを透過して読取用光導電層３６に照射され、その読取光Ｌ２の照射により読取用光導電層３６において発生した一方の極性の電荷が蓄電部３８における潜像電荷と結合するとともに、他方の極性の電荷が線状電極３７ａに接続されたフレキシブル基板５０（チャージアンプＩＣ５１）により検出されることにより放射線画像が電気信号として読み出される。
【００２３】
なお、放射線固体検出器３０および線状光源３１は、上記線状光源３１の長さ方向と放射線固体検出器３０の線状電極３７ａの長さ方向とが略直交するように設置されている。
【００２４】
光源駆動手段は、基台２５に固着されたモーター４０と、モーター４０の回転軸に接続された駆動プーリー４１と、基台２５に固着された回転軸に軸支されたプーリー４２と、駆動プーリー４１とプーリー４２との間に懸架され、線状光源３１を保持するベルト４３と、基台２５に固着され、線状光源３１の移動を規制するスキャンシャフト４４とから構成されている。
【００２５】
基台２５は、長方形の環状部を有し、底面において環状部の内側が閉じた平板状の底板部を有する形状となっており、アルミダイキャスト等の剛性の高い材料で構成されている。
【００２６】
基台２５は環状部の上面において保持部材２６により放射線固体検出器３０を挟持している。
【００２７】
また、基台２５は環状部の外側面において、ヒートシンク６２によりフレキシブル基板５０を挟持しており、基台２５の下面において、フレキシブル基板５０と接続された信号処理基板５２を保持している。なお、基台２５の外側面とフレキシブル基板５０との間には防振ゲル６０が、フレキシブル基板５０に実装されたチャージアンプＩＣ５１とヒートシンク６２との間には防振ゲル６１が各々配されており、フレキシブル基板５０の振動を抑制するように構成されている。
【００２８】
さらに、基台２５は光源駆動手段を保持するとともに、環状部の内側に線状光源３１を収容するように構成されている。
【００２９】
上述の様な構成とすることにより、フレキシブル基板５０を適切に保持できるためフレキシブル基板５０の振動を抑制することが可能であり、また、放射線固体検出器３０と、光源駆動手段（線状光源３１）とを同一の基台２５により保持しているため、読取光の光学精度をも確保することが可能である。
【００３０】
また、この基台２５は、防振ゲル２７を介して筐体２０に固着された支柱２８に取り付けられている。これにより、筐体２０外部からの振動が基台２５に直接的に伝播するのを抑制できる。
【００３１】
さらに、ヒートシンク６２と筐体２０とは導熱リボン６４により張力が掛からない状体で接続されており、このような態様とすることにより、筐体２０外部からの振動を基台２５に直接的に伝播させることなく、チャージアンプＩＣ５１で発生した熱を筐体に逃がすことができるようになっている。
【図面の簡単な説明】
【００３２】
【図１】本発明による第１の実施の形態の直動移動体駆動装置を利用した乳房用Ｘ線撮影装置の概略構成図
【図２】上記乳房用Ｘ線撮影装置のカセッテ装填部に装填されるカセッテの概略構成図
【図３】図２に示すカセッテの概略構成図において放射線画像検出器を非表示にした概略構成図
【図４】上記カセッテの断面図（図２中のIV−IV線断面図）
【図５】上記カセッテ内に設置される放射線固体検出器の概略構成図
【符号の説明】
【００３３】
１    撮影装置本体
２    カセッテ
１０    撮影台
１２    アーム部
１２ａ    放射線射出部
１４    カセッテ装填部
２０    筐体
２１    カーボン板
２５    基台
２６    保持部材
３０    放射線固体検出器
３１    線状光源
４０    モーター
４１    駆動プーリー
４２    プーリー
４３    ベルト
４４    スキャンシャフト
５０    フレキシブル基板
５１    チャージアンプＩＣ
５２    信号処理基板
５３    フレキシブル基板
５４    画像転送基板
６０    防振ゲル
６１    防振ゲル
６２    ヒートシンク
６３    ネジ
６４    導熱リボン
【図１】
2007155433.tif 000003
【図２】
2007155433.tif 000004
【図３】
2007155433.tif 000005
【図４】
2007155433.tif 000006
【図５】
2007155433.tif 000007